(57)【特許請求の範囲】
【請求項１】
対向配置した一対の第１部材と、各第１部材の対向面に端面を当接して第１部材間に架設した第２部材とを備え、各第１部材は、互いに対向する面の見込み方向中間部に長手方向の突条を有し、突条の長手方向において第２部材を取り付ける位置に突条分断孔が形成してあり、第２部材は、突条分断孔の位置で端面を、分断されて隣り合う突条間に嵌め込んだ状態で、第１部材の対向面と反対側から挿通したネジで止めてあることを特徴とする建築構造体。
【発明の詳細な説明】
【技術分野】
【０００１】
本発明は、ガラリ、フェンス等の建築構造体に関する。  
【背景技術】
【０００２】
特許文献１には、対向配置した側枠（第１部材）の対向面にブレード（第２部材）の端面を当接して所定位置に配置した後、第１部材の対向面と反対側から挿通したネジで第２部材を第１部材に固定することが開示されている。  
【先行技術文献】
【特許文献】
【０００３】
【特許文献１】特開２００８−１９６２２１号公報
【発明の概要】
【発明が解決しようとする課題】
【０００４】
しかし、特許文献１では、第１部材のネジ挿通側から第２部材の端面の配置が見えないので、第２部材の位置が確認し難いため、施工に手間がかかるという問題があった。  
【０００５】
そこで、本発明は、施工性が良い建築構造体の提供を目的とする。  
【課題を解決するための手段】
【０００６】
請求項１に記載の発明は、対向配置した一対の第１部材と、各第１部材の対向面に端面を当接して第１部材間に架設した第２部材とを備え、各第１部材は、互いに対向する面の見込み方向中間部に長手方向の突条を有し、突条の長手方向において第２部材を取り付ける位置に突条分断孔が形成してあり、第２部材は、突条分断孔の位置で端面を、分断されて隣り合う突条間に嵌め込んだ状態で、第１部材の対向面と反対側から挿通したネジで止めてあることを特徴とする建築構造体である。  
【発明の効果】
【０００７】
請求項１に記載の発明によれば、第２部材が所定の取り付け位置にある場合には、第２部材の端面は、分断されて隣り合う突条間に挟まれた状態で突条分断孔を横断する位置にあるから、第１部材のネジ挿通側から突条分断孔を通じて第２部材の端面の配置が容易に確認でき、施工性が良いと共に施工精度の向上を図ることができる。  
【図面の簡単な説明】
【０００８】
【図１】第１実施の形態にかかるガラリを取り付けた枠の縦断面図である。
【図２】第１実施の形態にかかるガラリを取り付けた枠の横断面図である。
【図３】第１実施の形態にかかるガラリの縦桟の一部をネジ挿通側から見た側面図である。
【図４】第２実施の形態にかかるガラリの一部を示す図であって、（ａ）はルーバー材の取り付け部分を示す縦断面図であり、（ｂ）はルーバー材の取り付け部分を縦桟のネジ挿通側から見た側面図である。
【図５】第３実施の形態にかかるガラリであって、ルーバー材の取り付け部分を縦桟のネジ挿通側から見た側面図である。
【発明を実施するための形態】
【０００９】
以下に、添付図面を参照して本発明の実施の形態について説明するが、まず、図１〜図３を参照して第１実施の形態について説明する。  
図１及び図２に示すように、本実施の形態にかかるガラリ（建築構造体）１は、建物の躯体開口部に配置された換気口の枠３の内周側に取り外し可能に取り付けたガラリである。  
枠３は上枠５、下枠７、左右の縦枠９を枠組みしてあり、各枠５、７、９の枠内周側には室外側から枠３内に挿入されたガラリ１を受ける受け部１１が突設されている。また、図２に示すように、左右の縦枠９、９には、ガラリ１を室外側から押える押え材１３がネジ１２で固定してある。押え材１３はアングル材であり、縦枠９には押え材１３の被係止部１５を係止する係止部１７が形成してある。係止部１７は縦枠９の枠内周側に突設した突条であり、被係止部１５は押え材１３から縦枠９側に突設した突条である。  
【００１０】
図２に示すように、ガラリ１は、対向配置した一対の縦桟（第１部材）１９、１９と、各縦桟１９、１９の対向面１９ａに端面を当接して縦桟１９、１９間に架設したルーバー材（第２部材）２１とを備えている。縦桟１９及びルーバー材２１は各々形材である。  
本実施の形態では、縦桟１９は、左右に間隔をあけて配置してあり、図１に示すように、各対向面１９ａには、見込方向の中間部に縦桟１９の長手方向に長い突条２３が形成してある。突条２３は、対向面１９ａの見込方向中央よりも室内側に形成してある。  
突条２３は、その長手方向において、所定の位置で分断するように、縦桟１９を貫通した突条分断孔２５が形成されている。この突条分断孔２５は丸孔であり、ルーバー材２１の端面が配置される位置に形成してある。  
また、縦桟１９には、ルーバー材２１を止めるネジ２６を挿通するネジ挿通孔２７（図３参照）が形成してある。  
図２に示すように、対向する各縦桟１９の室外側端には対向する側へ向けて突設する室外側片２９と、室内側端で対応する側へ向けて突設する室内側片３１が形成してある。
縦桟１９には対向面１９ａと反対側の面１９ｂ（ネジ挿通側面）には、ネジ挿通側に突設する室内側突設片３３と室外側突設片３５とが形成してある。  
【００１１】
図１に示すように、ルーバー材２１はその縦断面において、室外側端から垂下する室外側垂直部３７と、室外側垂直部３７の上端から室内側上方に向かう中間傾斜部３９と、中間傾斜部３９の上端から垂直に上がる中間垂直部（当接部）４１と、中間垂直部４１の上端から室内側上方に向かう室内側傾斜部４３と、室内側傾斜部４３の上端から下方に垂下する室内側垂直部４５とを有している。  
中間傾斜部３９には、その室内側面の傾斜方向中間位置にタッピングホール４７が形成してある。  
【００１２】
中間垂直部４１は縦桟１９の対向面１９ａに形成された突条２３の室内側面に当接して配置してある。  
中間傾斜部３９の上端部は、図１に拡大して示すように、突条分断孔２５を横断して配置してあり、図３に示すように、ルーバー材２１が正しく取り付けられた位置で縦桟１９のネジ２６を挿通する側から端面が見えるようにしてある。  
また、図１に示すように、中間傾斜部３９の上端部では、分断されて上下に隣り合う突条２３、２３間に嵌め込まれた状態としてある。  
ルーバー材２１は、タッピングホール４７に縦桟１９のネジ挿通側面１９ｂから挿通したネジ２６で縦桟１９に止めてある。  
【００１３】
尚、図１及び図２に示すように、一対の縦桟１９、１９間の室内側には、上下方向に長い補助材４９が設けてあり、ルーバー材２１はその長手方向中間部を補助材４９にネジ５１で止めてある。  
また、最上位置にあるルーバー材２１は、その下方にあるルーバー材２１と異なった形状としてあり、中間垂直部４１の上端には室内側傾斜部４３に換えて室内側へ水平に設けた室内側水平部５３と室外側へ水平に設けた室外側水平部５５が形成してある。  
【００１４】
次に、図１及び図２を参照してガラリ１の組立てについて説明する。  
一対の縦桟１９、１９には、各々ルーバー材２１の取り付け位置にネジ挿通孔２７（図３参照）及び突条分断孔２５を形成する。  
一方の縦桟１９にはその上方から下方に順番にルーバー材２１を取り付けるが、各ルーバー材２１は縦桟１９の対向面１９ａに一方の端面を当て、ルーバー材２１の室外側垂直部３７を縦桟１９の室外側片２９の室内側面に当接させ、室内側垂直部４５を縦桟１９の室内側片３１の室外側面に当接させて配置すると共に、中間傾斜部３９の上端部が突条分断孔２５を横断するように配置し且つ中間垂直部４１を突条２３の室内側面に当接させる。これにより、中間傾斜部３９の上端部ではその上下を分断されて隣り合う突条２３、２３間に嵌め込んだ状態になる。  
図３に示すように、縦桟１９のネジ挿通側面１９ｂでは、突上分断孔２５に中間傾斜部３９が配置されている状態を目視で確認し、ネジ挿通孔２７から挿通するネジ２６をルーバー材２１のタッピングホール４７に螺合して、一方の縦桟１９にルーバー材２１の一方の端面を固定する。  
同様にして下方に位置するルーバー材２１を順次縦桟１９に取り付ける。  
その後、他方の縦桟１９の対向面１９ａに各ルーバー材２１の他端面を当接して配置して、上述した一方の縦桟１９と同様にしてネジ挿通側面１９ｂから挿通するネジ２６でルーバー材２１の他端面をネジ止めする。  
そして、縦桟１９、１９間の室内側に補助材４９を配置して、各ルーバー材２１の室内側垂直部４５にネジ５１で止め、ガラリ１を組み立てる。  
【００１５】
次に、ガラリ１の枠３への取り付けについて説明する。  
枠３の内周側に室外側からガラリ１を挿入し、枠３の内周側に突設する室外側片２９に室外側から縦桟１９を当接させて配置し、各縦桟１９の室外側突設片３５に押え材１３を室外側から押し付け、押え材１３の被係止部１５を縦枠９の係止部１７の室内側に係止する。その後、ネジ１２で押え材１３を対応する縦枠９に止める。  
【００１６】
本実施の形態にかかるガラリ（建築構造体）１の効果について説明する。  
図３に示すように、縦桟（第１部材）１９に対してルーバー材（第２部材）２１が取り付け位置にある場合には、ルーバー材２１の端面は突条２３、２３間に挟まれた状態で突条分断孔２５を横断する位置にあるから、縦桟１９のネジ挿通側面１９ｂから突条分断孔２５を通じてルーバー材２１の端面の配置が容易に確認でき、施工性が良いと共に施工精度の向上を図ることができる。  
即ち、縦桟１９に対してルーバー材２１が正しい取付位置よりもずれている場合には、ルーバー材２１の端面が突条分断孔２５からずれて見えないから、ルーバー材２１が正しい取付位置にないことが容易にわかり、正しい位置に修正できる。  
【００１７】
ルーバー材２１は突条２３の室外側（見込方向一方側）で縦桟１９にネジ２６で止めてあると共に、その端面が、分断されて隣り合う突条２３、２３間に嵌まり込んでいることで、強風等による外力を受けた場合でもルーバー材２１に作用する回転方向の力を突条２３、２３で受けることができるから、ルーバー材２１の取付強度を高めることができる。即ち、図１に示すように、ルーバー材２１がネジ２６を中心に時計方向に回転しようとした場合には、下側の突条（分断された一方の突条）２３に当接し、反時計方向に回転しようとした場合には上側の突条（分断された他方の突条）２３に当接するから、分断された突条２３、２３でネジ２６を中心とする時計方向と反時計方向のいずれの回転方向の力も受けて、ルーバー材２１の回転や位置ずれを防止できる。  
また、組立時にルーバー材２１を突条２３の室外側でネジ２６を止めるときに、ネジ止めによりルーバー材２１に作用する回転方向の力を上側の突条２３又は下側の突条２３で受けることができるから、ルーバー材２１の回転や位置ずれを防止できる。  
ルーバー材２１は中間垂直部（当接部）４１を突条２３の室内側面（見込み方向他方側面）に当接して取り付けているので、組立時にルーバー材２１を突条２３の室外側でネジ２６を止めるときやルーバー材２１の取り付け後に、ネジ２６を中心としてルーバー材２１に作用する反時計方向の力を突条２３の側面で受けることができるから、反時計方向の力に対するルーバー材２１の変形を防止できる。  
更に、ルーバー材２１の室外側垂直部（室外側端部）３７は縦桟１９の室外側片２９の室内側面に当接し、室内側垂直部（室内側端部）４５は縦桟１９の室内側片３１の室外側面に当接しているので、ネジ２６を中心とするルーバー材２１の時計方向の回転力に対してルーバー材２１の変形を防止できる。  
また、ルーバー材２１の端面は、中間傾斜部３９を隣り合う突条２３、２３間に嵌め込むようにして配置すると共に中間垂直部（当接部）４１を突条２３の室内側面に当接するように配置することで位置決めできるから、ルーバー材２１の位置決めが容易にできる。
ガラリ１を枠３に取り付けるときには、枠３の内周に室外側からガラリ１を挿入し、ガラリ１を押え材１３で枠３の受け部１１に押し付けて、枠３の係止部１７に押え材１３の被係止部１５を室内側から係止しているので、ネジ１２による押え材１３のネジ止め箇所を少なくできるから、ガラリ１の枠３への取り付けが容易で且つ部品点数を少なくできる。  
また、ガラリ１の取り外しは、ネジ１２を外した後、押え材１３を枠３から外すことで、容易にできる。  
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図４に、第２実施の形態にかかるガラリ１（建築構造体）を示す。このガラリ１では、ルーバー材（第２部材）２１の形状が第１実施の形態と異なっている。即ち、ルーバー材２１は平板状であり、上面を室内側に向けるように傾斜して取り付けている。  
また、この第２実施の形態では、突条２３の室内側面に当接する中間垂直部（当接部）４１を設けていない。  
この第２実施の形態によれば中間垂直部（当接部）４１による効果を除いて、第１実施の形態と同様の作用効果を奏することができる。  
図５に第３実施の形態にかかるガラリ１（建築構造体）を示す。このガラリ１では、第２実施の形態と同様に、ルーバー材（第２部材）２１の形状が第１実施の形態と異なっている。この第３実施の形態では、ルーバー材２１は板状であり、室外側垂直部３７の上端と室内側垂直部４５の下端との間を水平面部５７としてあり、水平面部５７の見込み方向中間部にタッピングホール４７を設けてある。  
また、この第３実施の形態では、第２実施の形態と同様に、突条２３の室内側面に当接する中間垂直部（当接部）４１を設けていない。  
この第２実施の形態によれば、中間垂直部（当接部）４１による効果を除いて、第１実施の形態と同様の作用効果を奏することができる。  
【００１９】
本発明は、前述した実施の形態に限定されるものではなく、その要旨を逸脱しない範囲で種々変形可能である。  
本発明の建築構造体１には、ガラリの他に、フェンス、手摺、サッシ枠体、門扉等がある。建築構造体１がフェンスや手摺の場合には、第１部材１９は弦材であり、第２部材２１は格子材である。また、建築構造体１が門扉の場合には、第１部材１９が縦取付材又は横取付材であり、第２部材が格子材である。建築構造体１がサッシ枠体の場合には第１部材１９が横枠で第２部材２１が縦枠、又は第１部材１９が縦枠で第２部材２１が横枠である。  
ガラリ（建築構造体）１の組立ては、左右に対向して設けた縦桟（第１部材）１９、１９間に複数の格子材（第２部材）２１を上下に間隔をあけて配置することに限らず、上下に対向して設けた横桟（第１部材）間に複数の格子材（第２部材）２１を左右に間隔をあけて配置しても良い。  
上述した実施の形態では、縦桟（第１部材）１９に対して格子材２１を上から順に取り付けたが、これに限らず、下から順に取り付けても良いし、取り付け手順は限定されない。  
ルーバー材２１の長手方向中間部をネジ５１で止めている補助材４９は無くても良い。
【符号の説明】
【００２０】
１    ガラリ（建築構造体）
１９  縦桟（第１部材）
１９ａ  対向面
１９ｂ  ネジ挿通側面（対向面と反対側の面）
２１  ルーバー材（第２部材）
２３  突条
２５  突条分断孔
２６  ネジ
【図１】
0006480306.tif 000002
【図２】
0006480306.tif 000003
【図３】
0006480306.tif 000004
【図４】
0006480306.tif 000005
【図５】
0006480306.tif 000006